(57)【要約】【課題】スポット照明及び下向き全方位照明のいずれにも使用できる静寂な投光器の提供を目的とする。【解決手段】ＬＥＤからなる光源ランプと、光線の反射器と、光源ランプの角度調整具とを備え、前記角度調整具は、光源ランプの光線が概ね垂直上方に向く位置から斜め下向きまで可能であり、前記反射器は光源ランプの上方に位置し、且つ先端が下方に向いた円錐又は角錐形状の反射面を有し、光源ランプの光線を上方に向けると光線が前記反射器にて反射されることで、下向き全方位照明になり、光源ランプの光線を斜め下向きに向けるとスポット照明となることを特徴とする。【選択図】  図１
2013012390.tif 000002
【特許請求の範囲】
【請求項１】
ＬＥＤからなる光源ランプと、光線の反射器と、光源ランプの角度調整具とを備え、
前記角度調整具は、光源ランプの光線が概ね垂直上方に向く位置から斜め下向きまで可能であり、
前記反射器は光源ランプの上方に位置し、且つ先端が下方に向いた円錐又は角錐形状の反射面を有し、
光源ランプの光線を上方に向けると光線が前記反射器にて反射されることで、下向き全方位照明になり、
光源ランプの光線を斜め下向きに向けるとスポット照明となることを特徴とする投光器。
【請求項２】
前記光源ランプは組立式支柱に支持され、電源は移動式バッテリーであることを特徴とする請求項１記載の投光器。
【請求項３】
前記電源は商用電源又は太陽光発電電源により充電が可能であることを特徴とする請求項２記載の投光器。
【発明の詳細な説明】
【技術分野】
【０００１】
本発明は、バッテリー式の電源を用いたＬＥＤランプからなる投光器に関する。
【背景技術】
【０００２】
デーゼルエンジン、ガソリンエンジン等の内燃機関による発電機を電源に用いた投光器が市販されているが、駆動音が大きかったり、振動が激しくイベント等の進行の障害になる場合も多く、また夜間使用となると周囲に迷惑をかける恐れがあった。
【０００３】
また、市販されている投光器は一般的にスポット照明であり、全方位的な照明ができなかった。
【０００４】
特許文献１は、下に設けた集光式光源の光線を上方に設けた反射鏡にて下向き全方位的照明にした照明器具を開示する。
しかし、同公報に開示する照明器具は、公園，街路等に設置するのが目的であり、スポット照明に利用できるものではない。
また、特許文献２は、従来のポール先端に光源を保持したスポーツ施設の照明の改良方法として、光源部の上方に反射ミラーを設けた技術を開示するが、投光器的な照明であって、全方位的照明に用いることはできない。
【先行技術文献】
【特許文献】
【０００５】
【特許文献１】実開平７−２７００８号公報
【特許文献２】特開平３−２１６９０２号公報
【発明の概要】
【発明が解決しようとする課題】
【０００６】
本発明は、スポット照明及び下向き全方位照明のいずれにも使用できる静寂な投光器の提供を目的とする。
【課題を解決するための手段】
【０００７】
本発明者らは、ＬＥＤからなる光源ランプは消費電力が少なく、充電式バッテリーを用いても連続長時間の使用が可能であることに着目し、移動が容易で多種多様用途に対応できる投光器を検討した結果、本発明に至った。
【０００８】
本発明に係る投光器は、ＬＥＤからなる光源ランプと、光線の反射器と、光源ランプの角度調整具とを備え、前記角度調整具は、光源ランプの光線が概ね垂直上方に向く位置から斜め下向きまで可能であり、前記反射器は光源ランプの上方に位置し、且つ先端が下方に向いた円錐又は角錐形状の反射面を有し、光源ランプの光線を上方に向けると光線が前記反射器にて反射されることで、下向き全方位照明になり、光源ランプの光線を斜め下向きに向けるとスポット照明となることを特徴とする。
【０００９】
ここでＬＥＤからなる光源ランプとは、ＬＥＤ実装基板を内蔵したランプをいい、市販されているものには、ＬＥＤの発光をグローブで散乱するボール形，レンズで指向性を持たせたスポットライト形，及び反射板にて反射させたミゼットレフ形がある。
本発明に用いるＬＥＤランプは光線の指向性が高いスポットライト形が望ましい。
【００１０】
本発明に係る投光器を各種イベント、作業現場等の様々な用途に適用しやすいように光源ランプは組立式支柱に支持され、電源は移動式バッテリーであるのが好ましく、電源は商用電源又は太陽光発電電源により充電が可能であるのがより好ましい。
ここで商用電源とはＡＣ１００Ｖ，ＡＣ２００Ｖ等の一般家庭や工場で使用されている交流電源をいい、太陽光発電電源とは太陽光発電モジュールを用いて発電された電源をいう。
【発明の効果】
【００１１】
本発明に係るＬＥＤランプを用いた投光器は、ＬＥＤランプの光線を反射器で下向き全方位的に照射させて使用する方法と、ＬＥＤランプを下向き方向に傾けて直接スポット照明に使用する方法に容易に切り換えることができるので、用途の汎用性に優れる。
【００１２】
特に光源ランプの支柱を組立式にし、電源を移動式のバッテリーにすると各種現場への持ち運びが容易である。
バッテリーは商用電源を用いて充電してもよいが、太陽光パネルを用いて充電するとＣＯ２の削減にも寄与する。
【図面の簡単な説明】
【００１３】
【図１】本発明に係る投光器の構成例を示す。
【図２】光源部分の拡大図を示し、（ａ）は平面図、（ｂ）は正面図、（ｃ）は側面図を示す。
【図３】反射器を取り外してスポット照明した例を示す。
【図４】（ａ）はＬＥＤランプを上向きにした状態、（ｂ）は斜め下向きにした状態を示す。
【図５】光源部に防眩シートをかぶせた例を示す。
【発明を実施するための形態】
【００１４】
本発明に係る投光器の構造例を以下図面に基づいて説明する。
図１は投光器の全体構成例、図２は光源部分の拡大図を示す。
ＬＥＤからなるランプを用いた光源１１を角度調整具１３を介して取付板１５に設けてある。
取付板１５に着脱自在にフレーム体１４を介して反射器１２が取り付けられるようになっている。
取付板１５は第一支柱１６の上端に締結ねじ１６ａを用いて着脱自在に連結できる。
第一支柱１６は第二支柱１７の内側にスライド自在に内装され、固定つまみ１７ａの締緩により第一支柱１６の長さ（光源の高さ）を上下に調整できる。
第二支柱１７は三脚１８にて立設してあり、組立可能になっている。
光源の高さは約１０００ｍｍ〜３０００ｍｍの範囲で高さ調整できる。
光源１１から引き出したコード１９はプラグ１９ａを介してバッテリー２０に接続できる。
バッテリー２０は車輪２２を有し、ハンドル２１を持って移動できる。
例えば６０Ｗ型ＬＥＤランプを用いた場合にＤＣ２４Ｖ定格出力電圧のバッテリーになっていて、約２４時間の連続点灯が可能である。
【００１５】
反射器１２は、概ね垂直方向の下方に先端部が向いた円錐状あるいは４〜８角形等の多角錐状の反射鏡（反射面）を天板１２ａに取り付けてある。
光源１１は角度調整具１３にて光軸が概ね垂直上方に上向いた状態から斜め下向き向いた状態まで角度調整が可能である。
光源１１の光軸が垂直上方に上向いた状態では、この光軸が反射器１２の中心軸と一致するように光源１１の上方に反射器１２を有する。
この状態で光源を点灯すると、光線は反射面で反射され、下向き全位方向に照明される。
ここで下向き全位方向とは光線が円錐状又は多角錐状の反射面にて反射し、末広がり状に支柱の周囲全体を照らすことをいう。
【００１６】
光源１１の傾きを調整する手段に限定はないが、本実施例では次のような構造の角度調整具１３を採用した例になっている。
ＬＥＤランプの左右側部をＵ字形状の保持部材１１ａに取り付け、この保持部材１１ａの底部をＣチャンネル形状の連結部材１３ｃと直角方向に連結した。
連結部材１３ｃの保持部材１１ａと連結した端部とは反対側の端部を左右の支持板１３ａに軸支し、この軸支部１３ｅと保持部材１１ａとの連結部との間であって、光線が外側に向けて回動する方向に円弧状のガイド溝１３ｂを形成し、このガイド溝にチョウねじ１３ｄを挿通し、そのねじ部を連結部材１３ｃに螺着した例になっている。
これによりチョウねじ１３ｄを緩めると連結部材１３ｃが軸支部１３ｅを回動中心にして回動し、チョウねじ１３ｄを締め付けると所定の角度で連結部材１３ｃが固定され、光源１１の角度が固定される。
なお、本実施例では光源１１と保持部材１１ａとの連結部も支持軸１１ｃと円弧状スライド溝１１ｂ及びこのスライド溝１１ｂに先を挿通した固定ねじ１１ｄの組み合せにて角度の調整が可能になっている。
この光源１１と保持部材１１ａとの連結部は主に光軸の微調整用に用いる。
【００１７】
ＬＥＤランプからなる光源１１の光線が垂直線上方に向いたときは、反射器により下向き周囲の全方位に反射され、投光器の周囲全体が照明されることになるが、例えば図３，図４に示すようにチョウねじ１３ｄを緩め軸支部１３ｅを中心にし、外側に向けて形成した円弧状のガイド溝１３ｂに沿って光源１１を斜め下向きに回動し、その後にこのチョウねじ１３ｄを締め付け固定する。
このようにすると図３に示すように光線は、直接斜め下方を照らすスポット照明となる。
この場合に反射器１２を取り付けたまま、光源１１を回転させることで全方位照明からスポット照明に切り換えることができ、必要に応じて光源の光線（光軸）を垂直上方に戻すと、全方位照明に戻すこともできる。
本実施例では、反射器１２の着脱が可能になるようにこの反射器１２を取り付けたフレーム体１４を取付板１５にチョウねじ１５ａで取り付けた例になっている。
フレーム体１４は反射器１２を取り付けた天板１２ａと、光源１１を取付板１５に取り付けたまま挿通できる挿通孔１４ｂを有する下板１４ａとをフレーム１４ｃで連結した構造を採用した。
これにより、本発明に係る投光器をスポット照明用に使用するときには、反射器１２を取付板１５から取り外して図３，図４に示すようにしてもよい。
【００１８】
光源１１の光線が眩しすぎる際には、図５に透視図として示すようにフレーム体１４の周囲に袋状の防眩シート２０をかぶせて使用することもできる。
【符号の説明】
【００１９】
１１        光源
１２        反射器
１３        角度調整具
１４        フレーム体
１５        取付板
１６        第一支柱
１７        第二支柱
１８        三脚
１９        コード
１９ａ      プラグ
２０        バッテリー
【図１】
2013012390.tif 000003
【図２】
2013012390.tif 000004
【図３】
2013012390.tif 000005
【図４】
2013012390.tif 000006
【図５】
2013012390.tif 000007